(57)【要約】    【課題】  煙草の煙の上昇、拡散を極力抑制でき、しかも比較的吸引能力の小さい吸引ファンを使用した場合でも、灰皿の煙草から上昇する煙をその周辺の空気と共に効率的に吸引できるようにする。    【解決手段】  遊技機本体１の前側に灰皿８を設け、灰皿８の近傍に、灰皿８側の煙草Ａからの煙を吸引可能な吸引口２６を設ける。発射手段９に遊技球を供給するための球供給皿１７を灰皿８の上側に突出して配置し、球供給皿１７の皿カバー１９の下面に、灰皿８側の煙草Ａの煙を吸引可能な吸引口２６を灰皿８に対応してその上側に設ける。【選択図】  図３
2007275238.tif 000002
【特許請求の範囲】
【請求項１】
遊技機本体（１）の前側に灰皿（８）を設け、該灰皿（８）の近傍に、該灰皿（８）側の煙草（Ａ）からの煙を吸引可能な吸引口（２６）を設けた弾球遊技機において、発射手段（９）に遊技球を供給するための球供給皿（１７）を灰皿（８）の上側に突出して配置し、該球供給皿（１７）の皿カバー（１９）の下面に、前記灰皿（８）側の煙草（Ａ）の煙を吸引可能な前記吸引口（２６）を前記灰皿（８）に対応してその上側に設けたことを特徴とする弾球遊技機。
【請求項２】
前記球供給皿（１７）は遊技球を受ける皿体（１８）と、該皿体（１８）を覆う前記皿カバー（１９）とを備え、前記皿カバー（１９）内に、前記吸引口（２６）に連通するダクト（２９）と、該ダクト（２９）内に設けられ且つ前記吸引口（２６）を経て前記煙を吸引する吸引ファン（３１）と、前記ダクト（２９）内に設けられ且つ前記吸引ファン（３１）により吸引された煙を清浄化するフィルタ（３０）（３０ａ）（３０ｂ）とを含む空気清浄手段（２７）を設けたことを特徴とする請求項１に記載の弾球遊技機。
【請求項３】
前記皿カバー（１９）内に、前記吸引ファン（３１）を駆動する駆動源（３２）を設けたことを特徴とする請求項２に記載の弾球遊技機。
【請求項４】
前記吸引口（２６）から煙を吸引する前記吸引ファン（３１）と、通路（５３）内を通過する遊技球によって回転して前記吸引ファン（３１）を駆動する回転体（５４）とを設けたことを特徴とする請求項２に記載の弾球遊技機。
【請求項５】
前記回転体（５４）と前記吸引ファン（３１）との間に増速手段（５７）（６３）を設けたことを特徴とする請求項４に記載の弾球遊技機。
【発明の詳細な説明】
【技術分野】
【０００１】
本発明は、パチンコ機、アレンジボール機等の弾球遊技機に関し、灰皿の煙草からの煙を吸引するようにしたものである。
【背景技術】
【０００２】
パチンコ機等の弾球遊技機には、遊技機本体の前面側下部の左側等に灰皿を備え、愛煙家は喫煙しながら遊技を行えるようになっている。一方、煙草の煙は悪臭を発生し、また受動喫煙による健康障害の問題がある等、喫煙しない遊技者にとっては、愛煙家の遊技中の喫煙は苦痛の種である。
【０００３】
そこで、近時では、遊技ホールに空気浄化装置を設置して、この空気浄化装置によりホール内の空気を浄化して遊技環境の改善を図るだけでなく、弾球遊技機においても、遊技機本体内に空気清浄手段を備えたものがある（特許文献１、２）。
【０００４】
この種の弾球遊技機は、灰皿の近傍の前枠の前面側に吸引口を、前枠の裏側に空気清浄手段を夫々配置し、火の着いた煙草が灰皿側に接近したときに、煙草センサがそれを検出して吸引ファンが作動し、煙草からの煙を周辺の空気と一緒に吸引口から吸引して空気清浄手段へと導き、空気清浄手段で煙を除去して空気を清浄化するようになっている。
【特許文献１】特開平９−４７５６３号公報
【特許文献２】実開平５−１８８号公報
【発明の開示】
【発明が解決しようとする課題】
【０００５】
この空気清浄手段付きの弾球遊技機では、火の着いた煙草が灰皿側に接近したときに、吸引ファンが作動して吸引口から煙草の煙を吸引するが、従来は吸引ファンが作動しても煙を効率的に吸引できず十分な清浄効果を期待できない欠点がある。
【０００６】
即ち、煙草の煙は空気の対流によって上昇するにも拘わらず、従来は灰皿の周辺、特に上側が開放しており、上昇した煙が周囲に拡散し易い構造となっている。しかも、吸引口が前枠の前面側の縦壁面に前向きに開口しているため、その吸引口の前方で上昇し拡散した煙を吸引するには、吸引ファンの吸引能力を大きくしない限り困難である。このため，従来は空気清浄手段があるものの、それを十分に活用できていないという問題がある。
【０００７】
本発明は、このような従来の問題点に鑑み、煙草の煙の上昇、拡散を極力抑制でき、しかも比較的吸引能力の小さい吸引ファンを使用した場合でも、灰皿の煙草から上昇する煙をその周辺の空気と共に効率的に吸引できる弾球遊技機を提供することを目的とする。
【課題を解決するための手段】
【０００８】
本発明は、遊技機本体１の前側に灰皿８を設け、該灰皿８の近傍に、該灰皿８側の煙草Ａからの煙を吸引可能な吸引口２６を設けた弾球遊技機において、発射手段９に遊技球を供給するための球供給皿１７を灰皿８の上側に突出して配置し、該球供給皿１７の皿カバー１９の下面に、前記灰皿８側の煙草Ａの煙を吸引可能な前記吸引口２６を前記灰皿８に対応してその上側に設けたものである。
【発明の効果】
【０００９】
本発明では、煙草Ａの煙の上昇、拡散を極力抑制でき、しかも比較的吸引能力の小さい吸引ファン３１を使用した場合でも、灰皿８の煙草Ａから上昇する煙をその周辺の空気と共に効率的に吸引できる。
【発明を実施するための最良の形態】
【００１０】
以下、本発明の実施形態を図面に基づいて詳述する。図１〜図７は本発明をパチンコ機として具現化した第１の実施例を例示している。図１、図２において、１は遊技機本体で、外枠２と、この外枠２の前側に上下一対のヒンジ３を介して開閉自在に枢着された前枠４とを備えている。５はガラス扉、６は開閉板で、これらは前枠４の窓孔に対応して上下に配置され、ヒンジ３と同一側のヒンジを介して前枠４に開閉自在に枢着されている。ガラス扉５は、前枠４側の遊技盤２２に対応してその前側に配置され、このガラス扉５のガラス窓を介して遊技盤２２の遊技領域を視認できるようになっている。
【００１１】
前枠４の下部には、左右方向の中央部に下皿（余剰球貯留皿）７が装着され、この下皿７の左右に灰皿８と発射手段９を操作するための発射ハンドル９ａとが夫々装着されている。発射手段９は遊技者が発射ハンドル９ａを把持したときに作動して遊技盤２２の遊技領域へと遊技球を発射するようになっている。下皿７は上面側の凹入状の球貯留部１０と、この球貯留部１０の左右両側から上側に突出する側壁部１１とを有し、前枠４から前方に突出して設けられている。
【００１２】
各側壁部１１は、その上面側に後ろ上がりの傾斜状に形成された傾斜案内面１１ａを有し、開閉板６を閉じる際に、開閉板６側の脚部（後述）の下面がその傾斜案内面１１ａに沿って後ろ向きに摺動することにより、開閉板６が上向きに押し上げられるようになっている。また下皿７の発射ハンドル９ａ側には、側壁部１１よりも発射ハンドル９ａ側に突出するハンドレスト１２が設けられている。ハンドレスト１２は発射ハンドル９ａを操作する際に手の一部を乗せるためのものである。
【００１３】
灰皿８は図３、図５に示すように前側が開放する平面視Ｕ字状又は二股状の支持部１３内に配置され、支持部１３の左右の内側面に形成された長溝１４と、灰皿８側の左右両側に固定された支軸１５とにより、上向きの使用状態と下向きの不使用状態とに反転可能に支持されている。灰皿８には煙草Ａを載せるための凹部８ａと、火の着いた煙草Ａを接近させたときに、その煙草Ａを検出するための煙草センサ１６とが設けられている。煙草センサ１６は温度センサ、煙センサ等から成り、灰皿８の底壁、その他の適当箇所に設けられている。煙草センサ１６は灰皿８以外の箇所に設けてもよい。
【００１４】
支持部１３は側壁部１１を挟んで前枠４又は前枠４側の部材に一体に形成されている。灰皿８と下皿７との間には、側壁部１１等による隔壁が配置されている。下皿７、灰皿８、ハンドレスト１２の前端側は、その全体において左右方向の中央部分が前方に突出する円弧状に形成されている。
【００１５】
開閉板６はステンレス板等の板金製であって、その前側に発射手段９に供給するための遊技球を貯留する上皿（球供給皿）１７が装着されている。上皿１７は図３〜図５に示すように遊技球を受ける皿体１８と、この皿体１８を下側及び前側から覆う上皿カバー１９とを備え、下皿７及び灰皿８の上側へと前方に突出して開閉板６に着脱自在に固定されている。皿体１８は球導入部２０からの遊技球を貯留し、図外の整列部を介して発射手段９へと遊技球を供給するようになっている。
【００１６】
球導入部２０は図外の球払い出し手段から払い出された遊技球を受けて皿体１８へと案内するもので、皿体１８に一体に形成され、開閉板６を貫通して球落下通路２１の下方に突出している。なお、上皿カバー１９の上面には、その皿体１８の一側に返却スイッチ、球貸しスイッチ等を含む操作部２３が設けられている。
【００１７】
上皿カバー１９は略平坦状に形成された底壁部２４と、左右方向の中央部分が前側に突出する円弧状の周壁部２５とを一体に備えている。皿体１８と上皿カバー１９との間に形成された内部空間、取り分け灰皿８の上方側には、図３〜図５に示すように灰皿８側の煙草Ａからの煙を含む空気を吸引口２６から吸引して清浄化するための空気清浄手段２７が組み込まれている。
【００１８】
上皿カバー１９の底壁部２４には、灰皿８の直上に対応して吸引口２６が形成されると共に、下皿７側の各側壁部１１に対応して左右一対の脚部２８が設けられている。なお、吸引口２６は細い長孔、小さい丸孔等の多数の孔により構成されている。各脚部２８は底壁部２４から下方に突出して前後方向に設けられており、その下面側が傾斜案内面１１ａに案内されるようになっている。なお、脚部２８は側壁部１１と共に隔壁を構成する。
【００１９】
空気清浄手段２７は、吸引口２６に連通するダクト２９と、このダクト２９内に設けられた煙浄化用のフィルタ３０と、ダクト２９内に設けられ且つ吸引口２６及びフィルタ３０を経て煙草Ａの煙を吸引する吸引ファン３１と、吸引ファン３１を駆動する駆動モータ（駆動源）３２とを備えている。
【００２０】
ダクト２９は上手側の吸引ダクト部３３と下手側の排気ダクト部３４とを備えている。吸引ダクト部３３は吸引口２６に対応して底壁部２４上に固定され、その内部には吸引口２６側にフィルタ３０が、このフィルタ３０の上側に吸引ファン３１が夫々設けられている。
【００２１】
排気ダクト部３４は清浄化後の空気を遊技機本体１の前側に排気するためのもので、この実施例では皿体１８の前壁部３５から上皿１７内へと排気するようになっている。排気ダクト部３４は、吸引ファン３１の下流側で吸引ダクト部３３に連通して立ち上がる立ち上がり部３６と、この立ち上がり部３６の上端から皿体１８の前側の前壁部３５に沿って左右方向に横長状に伸び且つ前壁部３５側の複数個の排気口３７へと送風する送付部３８とを有し、その送風部３８側が前壁部３５の前側に固定されている。
【００２２】
排気口３７は、皿体１８内の遊技球と接触し難い上部側等で前壁部３５に左右方向に所定の間隔を置いて複数個形成されている。なお、清浄化後の空気を遊技機本体１の前側に排気する場合には、遊技者等に空気が当たらない箇所であれば、他の位置に排気口３７を設けてもよい。
【００２３】
駆動モータ３２は吸引ダクト部３３の上面に固定され、図６に示すように制御回路３９に接続されている。制御回路３９は図７に示すように煙草センサ１６が煙草Ａを検出したときに駆動モータ３２を起動して吸引ファン３１を駆動し、煙草センサ１６が煙草Ａを検出しなくなった時点から所定時間Ｔ後に駆動モータ３２を停止させるようになっている。
【００２４】
所定時間Ｔは、煙草センサ１６が煙草Ａを検出しなくなった時点の空気を空気清浄手段２７で清浄化するに必要な時間に設定されている。なお、制御回路３９は煙草センサ１６が所定時間Ｔ内の時間間隔で煙草Ａを間欠的に検出したときには、駆動モータ３２を連続的に駆動するようになっている。
【００２５】
上記構成の弾球遊技機において、遊技中の遊技者等が煙草Ａを灰皿８上に載せるか、又は灰皿８内に灰を落とし込むべく灰皿８上に接近させると、煙草センサ１６がその煙草Ａを検出して空気清浄手段２７の駆動モータ３２が作動し、吸引ファン３１を回転駆動するため、この吸引ファン３１の回転により、灰皿８の上側近傍の空気と一緒に煙草Ａの煙を吸引口２６からフィルタ３０を介して吸引する。
【００２６】
この場合に灰皿８の上側に突出する上皿１７があり、灰皿８の上側を上皿１７で制限しているため、灰皿８側から上昇する煙草Ａの煙の拡散を極力抑制できる。しかも、その上皿１７の上皿カバー１９の下面に、灰皿８の上側に対応して吸引口２６があるため、上皿１７による煙草Ａの煙の拡散抑制効果と相俟って、灰皿８側から上昇する煙草Ａの煙をその周辺部分の空気と一緒に確実に吸引することができる。
【００２７】
吸引口２６から吸引された空気は、フィルタ３０を通過するときに煙を除去する等により清浄化され、その後、排気口３７から上皿１７内へと排気される。排気口３７は上皿１７の前壁部３５に形成され、清浄化後の空気を皿体１８内へと後ろ向きに排気するため、その空気が遊技者に直接かかるような問題もない。
【００２８】
また構造的にも、上皿１７の皿体１８と上皿カバー１９との間の内部空間を利用して空気清浄手段２７を設ける一方、煙の吸引から清浄化後の空気の排気までの全てを上皿１７側で行うため、空気清浄手段２７を設けているにも拘わらず、他の構成部分に対する影響を最小限に抑えることができる。
【００２９】
図８、図９は本発明の第２の実施例を示し、この実施例では空気清浄手段２７で清浄化後の空気を上皿１７の上皿カバー１９の周壁部２５から外側へと排気するようにしている。排気口３７は例えば灰皿８の上側で上皿カバー１９の一側面に形成され、この排気口３７と上皿カバー１９の底壁部２４の吸引口２６との間にＬ字状にダクト２９が設けられている。なお、排気口３７は下向きに排気するようになっている。ダクト２９内には、吸引口２６側に１次フィルタ３０ａが、その下手側である排気口３７側に２次フィルタ３０ｂ、吸引ファン３１及び駆動モータ３２が設けられている。
【００３０】
このように上皿カバー１９の周壁部２５の一部に排気口３７を設ける等すれば、清浄化後の空気が遊技者の身体に当たらないように遊技機本体１の前側に排気することもできる。
【００３１】
図１０は本発明の第３の実施例を示し、この実施例では開閉板６の裏側に可撓性を有する排気筒４３が設けられており、この排気筒４３を遊技機本体１の裏側で島側に設けられた排気系４４に着脱自在に接続するようにしている。
【００３２】
ダクト２９は開閉板６の開口４７側と底壁部２４の吸引口２６との間に設けられている。排気筒４３はその前端側の接続部４８が支持板４５を介して前枠４側に固定状に取り付けられ、後端側が遊技機本体１の裏側に導出されて排気系４４の接続口４４ａに着脱自在に接続されている。
【００３３】
ダクト２９の接続部４６は、開閉板６の開口４７を貫通して裏側に突出しており、その接続部４６は開閉板６を閉じたときに排気筒４３の接続部４８に接続するようになっている。空気清浄手段２７の他の構成は、第２の実施例と略同様である。なお、接続部４６をダクト２９から分離し、この接続部４６をダクト２９と連通するように開閉板６の裏側に固定してもよい。
【００３４】
この場合には、排気筒４３を島側の排気系４４に接続しておけば、空気清浄手段２７で清浄化後の空気を排気筒４３を経て島側の排気系４４へと排気できる。また開閉板６の裏側に排気筒４３があるが、その排気筒４３を前枠４側に固定しておき、開閉板６を閉じたときに接続部４６，４８を介してダクト２９と排気筒４３とが接続するため、排気筒４３が開閉板６の開閉に影響するようなことはない。
【００３５】
図１１〜図１３は本発明の第４の実施例を例示し、この実施例では、開閉板６の開閉時に、空気清浄手段２７が開閉板６の開口４７を介して上皿カバー１９内に出退する構造とし、遊技盤２２の裏側に通過した後の遊技球を利用して吸引ファン３１を駆動するようにしている。
【００３６】
空気清浄手段２７はダクト２９の内部に１次フィルタ３０ａ、吸引ファン３１、２次フィルタ３０ｂ等を備え、そのダクト２９が取り付けボス５０等を介して、前枠４側の支持板４５の前面に固定されている。開閉板６には、その開閉時にダクト２９が上皿カバー１９内に出退できる開口４７が形成されている。
【００３７】
吸引口２６、排気口３７は上皿カバー１９側に設けられており、開閉板６を閉じたときに、ダクト２９の上手側が吸引口２６に、下手側が排気口３７に夫々近接して対向するようになっている。吸引ファン３１はダクト２９に回転自在に支持された前後方向の回転軸５１に固定され、また回転軸５１は支持板４５よりも後方に突出している。
【００３８】
遊技盤２２の裏側には、裏側に通過した遊技球を集球する集球ケース５２があり、また前枠４の裏側には、集球ケース５２からの遊技球を島側の回収系へと案内する回収通路５３が上下方向に設けられている。回収通路５３の途中には、回収通路５３内を落下する遊技球を受けて回転する回転体（駆動源）５４が配置されている。
【００３９】
回転体５４は羽車等から成り、前後方向の駆動軸５５に固定され、回収通路５３に形成された切欠き部５６を介して回収通路５３内に突出している。回転体５４は前後方向の駆動軸５５に固定され、回収通路５３内を落下する遊技球を受けて回転するようになっている。
【００４０】
駆動軸５５は回収通路５３の通路壁により回転自在に支持されている。駆動軸５５と回転軸５１との間には、回転体５４の回転により吸引ファン３１を増速駆動する巻き掛け伝動手段５７が設けられている。巻き掛け伝動手段５７は駆動軸５５側の駆動輪５８と、回転軸５１側の従動輪５９と、これらに巻き掛けられたベルト６０とを備え、増速手段を兼用する。
【００４１】
この場合には、入賞口、アウト球口を経て遊技盤２２の裏側に通過した遊技球は、集球ケース５２で集球された後、回収通路５３を経て島側の回収系へと回収されて行く。そして、遊技球が回収通路５３を落下するときに、回転体５４の羽根に当たって回転体５４が回転し、その回転により巻き掛け伝動手段５７を介して吸引ファン３１を増速駆動する。
【００４２】
このようにすれば、駆動モータ３２を使用する場合に比較して、吸引ファン３１を駆動するための電力が不要であり、非常に経済的である。しかも、遊技中は発射手段９から所定数の遊技球を遊技盤２２の遊技領域へと順次発射しており、その遊技球が入賞口、アウト球口を経て遊技盤２２の裏側へと通過し回収通路５３内を落下するため、回転体５４を介して吸引ファン３１を安定的に駆動できる。従って、遊技中は常時、吸引ファン３１を駆動することが可能である。
【００４３】
また開閉板６側に上皿カバー１９を含む上皿１７があるが、空気清浄手段２７のダクト２９等を前枠４側の支持板４５に取り付ける一方、開閉板６の開閉時にダクト２９等が上皿カバー１９に対して出退するように構成することによって、巻き掛け伝動手段５７等の簡単な構造の伝動手段を介して回転体５４により吸引ファン３１を駆動することができる。
【００４４】
図１４は本発明の第５の実施例を例示する。回収通路５３と空気清浄手段２７とが近い場合には、このようにギヤー伝動手段６３を介して回転体５４側の駆動軸５５と吸引ファン３１側の回転軸５１とを連動させることも可能である。ギヤー伝動手段６３は駆動軸５５側のギヤー６４と回転軸５１側のギヤー６５とにより構成されている。ギヤー６４、ギヤー６５は増速手段を兼用している。なお、空気清浄手段２７のダクト２９は開閉板６の開口４７から上皿カバー１９内に出退自在である。
【００４５】
以上、本発明の各実施例について詳述したが、本発明はこれらの実施例に限定されるものではなく、その他種々の態様で実施することができる。各実施例では、空気清浄手段２７の主要部分を上皿１７の上皿カバー１９内に設けているが、吸引口２６を上皿カバー１９の底壁部２４に下向きに設け、この吸引口２６に連通するように開閉板６に接続ダクトを設け、ダクト２９、フィルタ３０、吸引ファン３１等を開閉板６の裏側、支持板４５等に設けてもよい。吸引口２６は前後方向等、必要方向に角度調整可能に設けてもよい。
【００４６】
吸引フィルタ３０の駆動源に駆動モータ３２を用い、この駆動モータ３２で吸引ファン３１を駆動する場合には、灰皿８の近傍に煙草Ａを検出する煙草センサ１６を設け、この煙草センサ１６が煙草Ａを検出するか否かで駆動モータ３２を制御するのが望ましいが、上皿カバー１９等に空気清浄用スイッチを設け、このスイッチのオン・オフ操作で駆動モータ３２を制御するようにしてもよい。
【００４７】
煙草センサ１６は火の着いた煙草Ａを灰皿８の近傍に近づけた場合に、その煙草Ａを検出できれば十分であり、煙草センサ１６の配置箇所は灰皿８の他、上皿カバー１９の底壁部２４等に設けてもよい。
【００４８】
遊技球の落下を利用して回転体５４により吸引ファン３１を駆動する場合には、遊技中は安定的に通過する回収通路５３の遊技球を利用することが望ましいが、その他の遊技球、例えば賞球等を利用してもよい。また回転体５４の回転動力を吸引ファン３１に伝達する伝動手段としては、巻き掛け式、ギヤー式等があるが、その他のものを用いてもよい。ダクト２９はフィルタ３０、吸引ファン３１等の組み込みを考慮して、複数個に分割可能に構成することが望ましい。
【００４９】
更に各実施例では、遊技機本体１側に空気清浄手段２７を設け、煙草Ａの煙を含む空気を吸引口２６から吸引して清浄化した後に外部へと排気するようにしているが、浄化せずに島側の排気系４４へと送るようにしてもよい。その他、パチンコ機、アレンジボール機等の各種の弾球遊技機において同様に実施可能である。
【図面の簡単な説明】
【００５０】
【図１】本発明の第１の実施例を示すパチンコ機の全体斜視図である。
【図２】本発明の第１の実施例を示すパチンコ機の下部側面図である。
【図３】本発明の第１の実施例を示すパチンコ機の下部の側面断面図である。
【図４】本発明の第１の実施例を示す上皿の平面断面図である。
【図５】本発明の第１の実施例を示すパチンコ機の下部の正面断面図である。
【図６】本発明の第１の実施例を示す制御系のブロック図である。
【図７】本発明の第１の実施例を示すタイムチャートである。
【図８】本発明の第２の実施例を示す平面断面図である。
【図９】本発明の第２の実施例を示す側面断面図である。
【図１０】本発明の第３の実施例を示す側面断面図である。
【図１１】本発明の第４の実施例を示す概略説明図である。
【図１２】本発明の第４の実施例を示す平面断面図である。
【図１３】本発明の第４の実施例を示す側面断面図である。
【図１４】本発明の第５の実施例を示す平面断面図である。
【符号の説明】
【００５１】
１    遊技機本体
８    灰皿
９    発射手段
１７  球供給皿
１８  皿体
１９  皿カバー
２６  吸引口
２７  空気清浄手段
２９  ダクト
３０，３０ａ，３０ｂ  フィルタ
３１  吸引ファン
５３  通路
５４  回転体
５７  巻き掛け伝動手段（増速手段）
６３  ギヤー伝動手段（増速手段）
Ａ    煙草
【図１】
2007275238.tif 000003
【図２】
2007275238.tif 000004
【図３】
2007275238.tif 000005
【図４】
2007275238.tif 000006
【図５】
2007275238.tif 000007
【図６】
2007275238.tif 000008
【図７】
2007275238.tif 000009
【図８】
2007275238.tif 000010
【図９】
2007275238.tif 000011
【図１０】
2007275238.tif 000012
【図１１】
2007275238.tif 000013
【図１２】
2007275238.tif 000014
【図１３】
2007275238.tif 000015
【図１４】
2007275238.tif 000016